(57)【要約】【課題】不特定多数の者が利用する施設等でも個人情報を保護しつつ、生体情報を計測することができる生体情報測定装置等を提供すること。【解決手段】被検者の少なくとも、１つの生体基本情報である第１の生体基本情報を計測する計測部１６と、被検者の少なくとも１つの他の生体基本情報である第２の生体基本情報を取得する生体基本情報入力部１４を有し、第１の生体基本情報と第２の生体基本情報に基づいて、生体状態情報を生成する構成であって、少なくとも第２の生体基本情報の１つは、生体状態情報を保存しない構成となっている生体情報測定装置１０。【選択図】図１
2014196039.tif 000002
【特許請求の範囲】
【請求項１】
被検者の少なくとも、１つの生体基本情報である第１の生体基本情報を計測する計測部と、
前記被検者の少なくとも１つの他の生体基本情報である第２の生体基本情報を取得する生体基本情報入力部を有し、
前記第１の生体基本情報と前記第２の生体基本情報に基づいて、生体状態情報を生成する構成であって、
少なくとも前記第２の生体基本情報の１つを保存しない構成となっていることを特徴とする生体情報測定装置。
【請求項２】
前記生体状態情報は、その生成後、保存されない構成となっていることを特徴とする請求項１に記載の生体情報測定装置。
【請求項３】
前記計測部が、前記第１の生体基本情報を計測したのち、所定時間以内に前記第２の生体基本情報が前記生体基本情報入力部から入力されないときは、前記生体状態情報を生成せず、前記第１の生体基本情報のみを出力する構成となっていることを特徴とする請求項１又は請求項２に記載の生体情報測定装置。
【請求項４】
前記第２の生体基本情報が、前記生体情報測定装置に保存されない非保存第２基本情報と、保存される保存第２基本情報とを有し、これらのいずれかを使用するかを選択することができる構成となっていることを特徴とする請求項１乃至請求項３のいずれか１項に記載の生体情報測定装置。
【請求項５】
前記被検者の前記第２の生体基本情報を記憶する携帯媒体と、前記生体情報測定装置を有する生体情報測定システムであって、
前記生体情報測定装置は、前記第２の生体基本情報を前記携帯媒体から取得すると共に、前記生体状態情報を前記携帯媒体に送信する構成となっていることを特徴とする請求項１乃至請求項４のいずれか１項に記載の生体情報測定装置を有する生体情報測定システム。
【請求項６】
前記生体情報測定装置が、前記携帯媒体から前記第２の生体基本情報を取得したときは、前記非保存第２基本情報として使用する構成となっていることを特徴とする請求項５に記載の生体情報測定システム。
【請求項７】
前記生体情報測定装置が体組成計であり、前記体組成計の前記生体基本情報入力部は、前記携帯媒体と近距離無線通信で通信可能な通信部となっており、この通信部は、前記体組成計のうち、被検者が測定時に、その足を前記体組成計に配置したときの足先近傍に配置されていることを特徴とする請求項１乃至請求項６のいずれか１項に記載の生体時測定システム。
【請求項８】
生体情報測定装置の計測部は、被検者の少なくとも、１つの生体基本情報である第１の生体基本情報を計測し、前記生体情報測定装置の生体基本情報入力部は、前記被検者の少なくとも１つの他の生体基本情報である第２の生体基本情報を取得し、
前記第１の生体基本情報と前記第２の生体基本情報に基づいて、生体状態情報を生成する構成であって、
少なくとも前記第２の生体基本情報の１つを保存しない構成となっていることを特徴とする生体情報測定方法。
【発明の詳細な説明】
【技術分野】
【０００１】
本発明は、例えば、被検者の体脂肪率等の生体情報を生成する体組成計等の生体情報測定装置、生体情報測定システム及び生体情報測定方法に関するものである。
【背景技術】
【０００２】
従来より、被検者の体脂肪率等の生体情報を測定する体組成計等が用いられている（例えば、特許文献１）。
このような体組成計で体脂肪率等の生体情報を計測するには、被検者の体重情報だけでなく、当該被検者の性別、身長及び年齢等の個人情報が必要であるため、体組成計で体脂肪率等を計測するときは、この個人情報の入力を求めていた。
【先行技術文献】
【特許文献】
【０００３】
【特許文献１】特開２０１０―２２０８５５号公報
【発明の概要】
【発明が解決しようとする課題】
【０００４】
しかしながら、体組成計に入力する上述の個人情報は、当該個人のプライベートな情報として保護されるべきものに含まれる場合がある。このため、被検者が自宅で個人用として使用している体組成計に、自己の個人情報を入力するのは構わないが、病院等の不特定多数の患者が使用する施設で、体組成計を使用すると、当該体組成計に記憶された個人情報の取り扱いが問題となっていた。
このため、病院等の不特定多数の患者が利用する施設では、体組成計を使用するのが難しく、体脂肪率等の生体情報の取得が容易ではないという問題があった。【０００５】
そこで、本発明は、不特定多数の者が利用する施設等でも個人情報を保護しつつ、生体情報を計測することができる生体情報測定装置、生体情報測定システム及び生体情報測定方法を提供することを目的とする。
【課題を解決するための手段】
【０００６】
上記目的は、本発明にあっては、被検者の少なくとも、１つの生体基本情報である第１の生体基本情報を計測する計測部と、前記被検者の少なくとも１つの他の生体基本情報である第２の生体基本情報を取得する生体基本情報入力部を有し、前記第１の生体基本情報と前記第２の生体基本情報に基づいて、生体状態情報を生成する構成であって、少なくとも前記第２の生体基本情報の１つを保存しない構成となっていることを特徴とする生体情報測定装置により達成される。【０００７】
前記構成によれば、体脂肪率等の体組成値等の生体状態情報を生成するに必要な性別等の個人情報等である第２の生体基本情報は、体組成計等の生体情報測定装置には保存されない。ここで「保存しない構成」とは、一旦、生体情報測定装置の記憶手段に記憶され、生体状態情報を生成した後、記憶手段から削除する構成や、生体状態情報を生成する為に一時的に変数として記憶手段に記憶されるが、次の情報が入ってきた場合には、速やかに次の情報と置換される構成を含む。
したがって、不特定多数の利用者が利用する病院等の施設で、本発明の体組成計等の生体情報測定装置を使用しても、性別等の個人情報等が保護される。また、病院等では体組成計等の生体情報測定装置を安心して使用することができるので、体組成計等の生体情報測定装置を用いて、体脂肪率等の体組成値等の生体状態情報を容易に取得することができる。【０００８】
好ましくは、前記生体状態情報は、その生成後、保存されない構成となっていることを特徴とする。【０００９】
前記構成によれば、個人情報等の第２の生体基本情報のみならず体組成値等の生体状態情報も保存されないので、被検者の個人情報等がより確実に保護される。【００１０】
好ましくは、前記計測部が、前記第１の生体基本情報を計測したのち、所定時間以内に前記第２の生体基本情報が前記生体基本情報入力部から入力されないときは、前記生体状態情報を生成せず、前記第１の生体基本情報のみを出力する構成となっていることを特徴とする。【００１１】
前記構成によれば、体重情報等の第１の生体基本情報を計測したのち、所定時間以内に性別等の個人情報等の第２の生体基本情報が生体基本情報入力部から入力されないときは、体組成値等の生体状態情報を生成しない構成となっている。
このため、不特定多数の被検者が順番に連続して測定する病院等の施設で、本発明の生体情報測定装置が使用されたときでも、誤って次の順番の他人の個人情報等の第２の生体基本情報を使用して体組成値等の生体状態情報を生成するのを未然に防ぐことができる。【００１２】
好ましくは、前記第２の生体基本情報が、前記生体情報測定装置に保存されない非保存第２基本情報と、保存される保存第２基本情報とを有し、これらのいずれかを使用するかを選択することができる構成となっていることを特徴とする。【００１３】
前記構成によれば、性別等の個人情報等の第２の生体基本情報が、前記生体情報測定装置に保存されない非保存第２基本情報と、保存される保存第２基本情報とを有している。
したがって、病院等の不特定多数の被検者が本発明の体組成計等の生体情報測定装置を利用する施設では、非保存第２基本情報を利用して、性別等の個人情報等を保護することができると共に、被検者が自宅等で利用するときは、保存第２基本情報を利用することで、毎回の同じ性別等の個人情報の入力を回避でき、使い易い生体情報測定装置となる。【００１４】
好ましくは、前記被検者の前記第２の生体基本情報を記憶する携帯媒体と、前記生体情報測定装置を有する生体情報測定システムであって、前記生体情報測定装置は、前記第２の生体基本情報を前記携帯媒体から取得すると共に、前記生体状態情報を前記携帯媒体に送信する構成となっていることを特徴とする。【００１５】
前記構成によれば、生体情報測定装置は、性別等の個人情報等の第２の生体基本情報をデータカード等の携帯媒体から取得すると共に、体組成値等の生体状態情報を前記携帯媒体に送信する。
したがって、被検者はデータカード等の携帯媒体を生体情報測定装置と通信させることで、生体情報測定装置は、性別等の個人情報等の第２の生体基本情報を取得できる。また、携帯媒体は、体脂肪率等の体組成値等の生体状態情報を取得でき、その生体状態情報を携帯媒体に記憶し,管理することができる。【００１６】
好ましくは、前記生体情報測定装置が、前記携帯媒体から前記第２の生体基本情報を取得したときは、前記非保存第２基本情報として使用する構成となっていることを特徴とする。【００１７】
前記構成によれば、生体情報測定装置は、性別等の個人情報の第２の生体基本情報を携帯媒体から取得したときは、病院等の使用と判断して、自動的に非保存第２基本情報として使用するので、被検者等は、当該生体情報測定装置が例えば、自宅使用か病院等使用かを選択する必要がない。このため、特に、多忙を極める病院等の施設では、使い易い構成となっている。【００１８】
好ましくは、前記生体情報測定装置が体組成計であり、前記体組成計の前記生体基本情報入力部は、前記携帯媒体と近距離無線通信で通信可能な通信部となっており、この通信部は、前記体組成計のうち、被検者が測定時に、その足を前記体組成計に配置したときの足先近傍に配置されていることを特徴とする。【００１９】
前記構成によれば、生体情報測定装置は体組成計であり、生体基本情報入力部は、データカード等の携帯媒体と近距離無線通信で通信可能な通信部となっており、この通信部は、体組成計のうち、被検者が測定時に、その足を体組成計に配置したときの足先近傍に配置されている。
したがって、被検者が携帯媒体を保持したときに、体組成計の通信部と近距離無線通信を行い易い構成となっている。【００２０】
上記目的は、本発明にあっては、生体情報測定装置の計測部は、被検者の少なくとも、１つの生体基本情報である第１の生体基本情報を計測し、前記生体情報測定装置の生体基本情報入力部は、前記被検者の少なくとも１つの他の生体基本情報である第２の生体基本情報を取得し、
前記第１の生体基本情報と前記第２の生体基本情報に基づいて、生体状態情報を生成する構成であって、少なくとも前記第２の生体基本情報の１つを保存しない構成となっていることを特徴とする生体情報測定方法により達成される。
【発明の効果】
【００２１】
以上説明したように、本発明によれば、本発明は、不特定多数の者が利用する施設等でも個人情報を保護しつつ、生体情報を計測することができる生体情報測定装置、生体情報測定システム及び生体情報測定方法を提供することができる。
【図面の簡単な説明】
【００２２】
【図１】（ａ）は、本発明の生体情報測定システムである例えば、体組成計システムを示す概略図であり、（ｂ）は、（ａ）の体組成計の概略底面図である。
【図２】図１（ａ）のデータカードの主な構成を示す概略ブロック図である。
【図３】図１（ａ）に示す体組成計の主な構成を示す概略ブロック図である。
【図４】図３に示す「体組成計側各種情報記憶部」の主な構成を示す概略ブロック図である。
【図５】体組成計システムの主な動作例のうち、被検者が体組成計で体脂肪率等の体組成値を測定する事前のデータの登録工程を示す概略フローチャートである。
【図６】体組成計システム１の主な動作例のうち、不特定多数の被検者が体組成計を利用する「病院モード」と、特定の被検者が自宅等で利用する「登録個人／ゲストモード」を選択する工程を示す概略フローチャートである。
【図７】病院モードを示す概略フローチャートである。
【図８】病院モードを示す他の概略フローチャートである。
【図９】図６で示したＳＴ１５の「登録個人／ゲストモード」の主な工程を示す概略フローチャートである。
【図１０】図６で示したＳＴ１５の「登録個人／ゲストモード」の主な工程を示す他の概略フローチャートである。
【発明を実施するための形態】
【００２３】
以下、この発明の好適な実施の形態を、添付図面等を参照しながら、詳細に説明する。
【００２４】
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
図１（ａ）は、本発明の生体情報測定システムである例えば、体組成計システム１を示す概略図である。図１（ａ）に示すように、体組成計システム１は、生体情報測定装置である例えば、体組成計１０を有すると共に、携帯媒体である例えば、データカード１００を有している。
体組成計１０は、生体状態情報、例えば、体脂肪率、基礎代謝率、ＢＭＩ（Ｂｏｄｙ  Ｍａｓｓ  Ｉｎｄｅｘの略で、体重÷身長÷身長で算出される体重（体格）の指標）、筋肉量及び水分量等の体組成値のデータを測定する機器である。
これらの測定は、例えば、被検者の体重データ及び被検者の性別、身長及び年齢等のデータ等に基づいて算出される。
すなわち、体組成計１０は、被検者の体重データのみでは、体脂肪率等の体組成値を測定することができない構成となっている。
なお、体重情報が「第１の生体基本情報」の一例である。
【００２６】
一方、データカード１００は、例えば、ＩＣカードであり、ＩＣ（Ｉｎｔｅｇｒａｔｅｄ  Ｃｉｒｃｕｉｔ）（集積回路）及びアンテナ等を備えており、非接触ＩＣカードとなっている。
【００２７】
図１（ａ）の体組成計１０は、その表面に、４つの電極部１１ａ、１１ｂ、１１ｃ、１１ｄを有し、被検者の足等が、これらの上に配置されることにより、通電し、当該被検者の電気的データを得ることができる構成となっている。
また、体組成計１０は、被検者が電極部１１ａ等が配置されている表面に乗ることで電気的データを得るだけでなく、体重データも得ることができる構成となっている。
すなわち、これら電気的データ及び体重データと、上述の性別、身長及び年齢等のデータに基づいて、体脂肪率等の体組成値を測定する構成となっている。
【００２８】
図１（ｂ）は、図１（ａ）の体組成計１０の概略底面図である。図１（ｂ）に示すように、体組成計１０の底面側には、各種データを入力等するための３つの操作スイッチ、具体的には、第１の操作スイッチ１２ａ、第２の操作スイッチ１２ｂ及び第３の操作スイッチ１２ｃが配置されている。
具体的には、第１の操作スイッチ１２ａで、入力項目等、例えば、年齢等を選択し、その入力項目の数値等を第２の操作スイッチ１２ｂ及び第３の操作スイッチ１２ｃで変更、選択等する構成となっている。
すなわち、第１の操作スイッチ１２ａ、第２の操作スイッチ１２ｂ及び第３の操作スイッチ１２ｃが、生体基本情報入力部の一例となっている。
【００２９】
また、図１（ａ）に示すように、体組成計１０は、体脂肪率等の体組成値を表示する表示部である体組成計側ディスプレイ１３を有すると共に、データカード１００と近距離無線通信が可能な通信部である体組成計側リードライト装置１４を有している。
図１（ａ）のデータカード１００もデータカード側リードライト装置１０１を有しており、このデータカード１００を、体組成計側リードライト装置１４に近接させることで、自動的に電磁誘導による無線通信が可能な構成となっている。
近距離無線通信の例としては、〜１０ｃｍ程度までの近距離の非接触通信手段（例えば、ＩＳＯ／ＩＥＣ  １４４４３の省電力ＩＣ通信技術、ＩＳＯ／ＩＥＣ  １８０９２の通信技術、ＦｅｌｉＣａ（ソニー（株）の登録商標））、Ｂｌｕｅｔｏｏｔｈ（Ｂｌｕｅｔｏｏｔｈ ＳＩＧの登録商標）等の通信技術等も適用できる。
ＦｅｌｉＣａの通信技術では、１３．５６ＭＨｚの電波で通信し、１０ｃｍ程度までのごく近距離で非接触に１００〜４００ｋｂｐｓの通信が行なわれる。Ｂｌｕｅｔｏｏｔｈでは、２．４５ＧＨｚ帯の電波を利用し、最高２４Ｍｂｐｓの速度で通信を行うことができる。
【００３０】
また、この体組成計側リードライト装置１４は、図１（ａ）に示すように、被検者が電極部１１ａ等の上に足を配置したときに、その右足の足先の近傍に位置するように配置されている。
したがって、被検者が右手にデータカード１００を所持して、体組成計１０に乗ったときに、データカード１００のデータカード側リードライト装置１０１を、体組成計１０の体組成計側リードライト装置１４に近接させ易く、これがため、通信させ易い構成となっている。
【００３１】
一方、図１（ａ）のデータカード１００も年齢等の情報を表示する表示部であるデータカード側ディスプレイ１０２を備えている。
そして、データカード１００は、全体が扁平な板状の小型のカードとなり、被検者がポケット等に容易に収容でき、携帯が容易な形状となっている。
【００３２】
また、本実施の形態では、例えば、データカード１００内に当該被検者の性別、身長、年齢等の個人情報（第２の生体基本情報の一例）が記憶されている。そして、当該被検者が図１の体組成計１０の電極部１１ａ等の上に乗り、体組成計１０が、その体重及び電気的データを取得し、併せて、データカード１００から当該被検者の性別、身長、年齢等の個人情報を取得する。
その後、体組成計１０は、当該被検者の体脂肪率等の体組成値データを演算等して求めることになる。
【００３３】
図１（ａ）に示す体組成計１０及びデータカード１００は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００３４】
図２は、図１（ａ）のデータカード１００の主な構成を示す概略ブロック図である。
図２に示すように、データカード１００は、「データカード制御部１０３」を有し、「データカード制御部１０３」は、上述の「データカード側リードライト装置１０１」及び「データ側ディスプレイ１０２」のみならず、「データカード側計時装置１０４」を制御する。
また、「データカード制御部１０３」は、図２に示す「データカード側個人情報記憶部１０５」及び「データカード側体組成値記憶部１０６」も制御する。
【００３５】
図３は、図１（ａ）に示す体組成計１０の主な構成を示す概略ブロック図である
図３に示すように、体組成計１０は「体組成計制御部１５」を有し、「体組成計制御部１５」は、上述の「体組成計側リードライト装置１４」、「操作スイッチ１２ａ、１２ｂ、１２ｃ」及び「体組成計側ディスプレイ１３」を制御する他、図３に示す計測部である例えば、「体重測定装置１６」や「体組成計側計時装置１７」も制御する。
また、「体組成計制御部１５」は、図３に示す「体組成計側各種情報記憶部３０」も制御する。
【００３６】
図４は、図３に示す「体組成計側各種情報記憶部３０」の主な構成を示す概略ブロック図である。この具体的構成については、後述する。
【００３７】
図５乃至図１０は、図１に示す体組成計システム１の主な動作例を示す概略フローチャートである。
また、図５は、体組成計システム１の主な動作例のうち、被検者が体組成計１０で体脂肪率等の体組成値を測定する事前のデータの登録工程を示す概略フローチャートである。
以下、先ず、図５のフローチャートに沿って説明する。
【００３８】
本実施の形態の体組成計システム１を利用する被検者が体組成計１０を個人で利用する場合は、図５の工程で自己の性別、身長及び年齢等の個人情報を体組成計１０に入力する。
一方、本体組成システム１を病院等に来院する不特定多数の患者（被検者）の体脂肪率等の体組成値を計測するときは、図５の工程は実施しない。
【００３９】
図５のステップＳＴ（以下「ＳＴ」とする。）１では、図１の体組成計側ディスプレイ１３には「被検者の個人情報（性別、身長及び年齢）」の入力画面が表示される。
次いで、ＳＴ２に進む。ＳＴ２では、体組成計１０は、「個人情報」の入力が終了したか否かを判断し、終了したと判断したときは、ＳＴ３へ進む。
【００４０】
ＳＴ３では、「被検者の個人情報（性別、身及び、年齢等）を「番号情報（例えば、「１」）」と共に「番号関連個人情報記憶部１０５」に記憶する。
具体的には、この番号情報は、図１（ｂ）の操作スイッチ１２ａ、１２ｂ、１２ｃ等を操作して行う。
この工程で、例えば、特定の被検者「甲」の個人情報が「番号１」に記憶されることになる。
【００４１】
図６は、体組成計システム１の主な動作例のうち、不特定多数の被検者が体組成計１０を利用する「病院モード」と、特定の被検者が自宅等で利用する「登録個人／ゲストモード」を選択する工程を示す概略フローチャートである。
図６のＳＴ１１では、体組成計１０は、外部、すなわち図１（ａ）のデータカード１００から個人情報（性別、身長、年齢）を取得したか否かを判断する。
すなわち、図１（ａ）のデータカード１００は、図２に示すように、そのデータカード１００を所持している被検者自身の性別、身長及び年齢の個人情報が、「データカード側個人情報記憶部１０５」に記憶されている。
したがって、データカード１００の「データカード側リードライト装置１０１」と体組成計１０の「体組成計側リードライト装置１４」が近距離無線通信を行うことにより、体組成計１０は、データカード１００から個人情報を取得することができる構成となっている。
【００４２】
ＳＴ１１で、データカード１００から個人情報を取得したと判断されると、体組成計１０は、図４の「個人情報記憶部３２」に当該取得した「個人情報」を記憶すると共に、ＳＴ１２へ進む。
ＳＴ１２では、図４の「モード切替部（プログラム）３３」が動作し、体組成計１０の動作モードを「病院モード」とする。「病院モード」の内容については後述する。
【００４３】
一方、ＳＴ１１で、データカード１００から個人情報を取得されないときは、ＳＴ１３へ進む。ＳＴ１３では、「病院モード」又は「登録個人／ゲストモード」が図１（ｂ）の操作スイッチ１２ａ等で入力されたか否かを判断する。
すなわち、体組成計１０が自動的に「病院モード」又は「登録個人／ゲストモード」の別を判断するのではなく、被検者が、図１（ｂ）の操作スイッチ１１ａ等を操作することにより、手動で「モード」を設定したか否かが判断される。
このように、本実施の形態では、「病院モード」又は「登録個人／ゲストモード」の別が自動的に、又は手動で選択される構成となっている。
【００４４】
ＳＴ１３で、「病院モード」又は「登録個人／ゲストモード」が操作スイッチ１２ａ等で入力されたと判断されたときは、ＳＴ１４へ進む。ＳＴ１４では、入力されたモードが「病院モード」のときは、ＳＴ１２で「病院モード」が実行される。
一方、ＳＴ１４で、入力されたモードが「登録個人／ゲストモード」のときは、ＳＴ１５へ進み、「登録個人／ゲストモード」が実行される。
「登録個人／ゲストモード」の内容について、後述する。
【００４５】
一方、ＳＴ１３で、操作スイッチ１２ａ等の操作によって、モード切替信号が入力されないと判断されたときは、ＳＴ１６へ進む。
ＳＴ１６では、図３の「体組成計側計時装置１７」等を参照して、所定時間が経過したか否かを判断し、所定時間が経過したときは、データカード１００等からの個人情報の入力はないとして、ＳＴ１５の「登録個人／ゲストモード」が実行される。
【００４６】
以上のように、本実施の形態では、体組成計１０は、「病院モード」と「登録個人／ゲストモード」の双方のモードの実行が可能な構成となっているので、各モードを適切に選択することができる構成となっている。
【００４７】
図７及び図８は、病院モードを示す概略フローチャートである。
この「病院モード」では、図１（ａ）の体組成計１０が、不特定多数の患者等の被検者が利用する病院等の施設で利用するためのモードとなっている。
先ず、ＳＴ２１で、図３の「体重測定装置１６」が動作して「体重測定動作」が実行される。
次いで、ＳＴ２２へ進む。ＳＴ２２では「体重測定装置１６」による体重測定結果が確定したか否かが判断される。
【００４８】
ＳＴ２２で、体重測定結果が確定したときは、ＳＴ２３へ進む。ＳＴ２３では、体重測定結果を図４の「体重測定結果記憶部３４」に記憶する。
次いで、ＳＴ２４へ進む。ＳＴ２４では、図３の体組成計側計時装置１７等を参照して、所定時間が経過したか否かが判断される。
すなわち、体組成計１０が体脂肪率等の体組成値を測定（算出）するには、当該被検者の体重情報のみならず、当該被検者の性別、身長及び年齢等の個人情報が必要である。
しかし、これらの情報は個人情報であるため、不特定多数の被検者が利用する病院等に配置される体組成計１０には、これら個人情報の保護の観点から、個人情報を記憶しない構成となっている。
したがって、当該被検者のデータカード１００から当該被検者の個人情報を取得する構成となっている。
本工程では、データカード１００から当該体重測定を行った被検者の個人情報の入力を所定時間待つこと構成となっている。
【００４９】
そして、所定時間経過しても、体組成計１０が、データカード１００から個人情報を取得できないときは、ＳＴ２５へ進む。
ＳＴ２５では、体組成計１０の「体組成計側ディスプレイ１３」に「体重測定結果情報記憶部３４」の「体重測定情報」のみが表示され、体脂肪率等の体組成値の情報は表示されない。
すなわち、体脂肪率等の体組成値の情報の算出は行わない。これは所定時間経過後に取得された性別等の個人情報を使用すると、不特定多数の被検者が順番に使用する病院等の施設では、誤って他の被検者の個人情報を使用して体脂肪率等の体組成値を算出するおそれがあり、かかる事態の発生を未然に防止するためである。
【００５０】
一方、ＳＴ２４で、所定時間が経過していないときは、当該体重測定を行った被検者の個人情報の取得の可能が高いと判断し、ＳＴ２６へ進む。
ＳＴ２６では、性別等の個人情報を取得したか否かを判断し、データカード１００等から個人情報を取得した場合は、ＳＴ２７で、当該取得した性別等の個人情報を「個人情報記憶部３２」に記憶する。
なお、図６のＳＴ１１で、既に個人情報を取得している場合は、記憶しない。
【００５１】
次いで、ＳＴ２８へ進む。ＳＴ２８では、図４の「体組成計算部（プログラム）３５」が、図４の「個人情報記憶部３２」の「個人情報」及び「体重測定結果情報記憶部３４」の「体重測定結果情報」に基づいて「体組成値（体脂肪率、基礎代謝率、ＢＭＩ、筋肉量、水分量）」を演算し、図４の「体組成値記憶部３６」に記憶する。
【００５２】
次いで、ＳＴ２９へ進む。ＳＴ２９では、図４の「体組成値記憶部３６」の体組成値情報を「体組成計側ディスプレイ１３」に表示する。
したがって、被検者及び病院の看護師等の医療従事者等は、当該被検者の体脂肪率等の体組成値を把握することができる。
次いで、ＳＴ３０へ進む。ＳＴ３０では、「体組成値記憶部３６」の体組成値情報を通信可能なデータカード１００、すなわち、当該被検者の所持するデータカード１００に送信する。
【００５３】
次いで、ＳＴ３１へ進む。ＳＴ３１では、データカード１００が受信した「体組成値」を図２の「データカード側体組成値記憶部１０６」に記憶する。
したがって、当該被検者は、自己の体脂肪率等の体組成値の情報を自己のデータカード１００内に取得し、記憶させることができる。
【００５４】
次いで、ＳＴ３２へ進む。ＳＴ３２では、体組成計１０の「体組成値情報削除部（プログラム）３７」が動作して、「体組成値記憶部３６」の体脂肪率等の体組成値情報及び「個人情報記憶部３２」の性別等の個人情報を削除する。
すなわち、「体組成値情報削除部（プログラム）３７」は、「体組成値記憶部３６」の体組成値情報を通信可能なデータカード１００に送信することを条件に「体組成値情報」を削除する。
したがって、病院等の不特定多数の被検者が使用する体組成計１０には、被検者の性別等の個人情報や、体脂肪率等の体組成値情報が一切残らないので、個人情報等を保護することができ、病院関係者等が安心して使用することができる体組成計１０となる。
ここで、「個人情報記憶部３２」の性別等の個人情報が「非保存第２基本情報」の一例となっている。
【００５５】
なお、本実施の形態では、ＳＴデータカード１００等から取得した「個人情報」を「個人情報記憶部３２」に記憶させ、「体組成値」を取得した後、ＳＴ３２で、当該「個人情報」を削除することで、個人情報を体組成計１０に保存しない構成としている。
しかし、本発明は、これに限らず、データカード１００等と通信状態を維持し、データカード１００等から取得した「個人情報」を「個人情報記憶部３２」に記憶させることなく利用して、「体組成値」を取得する構成とすることも含まれる。この場合も、体組成計１０に「個人情報」が保存されない構成となる。
【００５６】
次いで、ＳＴ３３へ進む。ＳＴ３３では、データカード１００から「データカード側計時装置１０４」の「時刻情報」が体組成計１０へと送信される。
次いで、ＳＴ３４では、体組成計１０は、データカード１００から「時刻情報」を取得し、「体組成計側計時装置１７」の時刻情報を修正する。
すなわち、データカード１００の「データカード側計時装置１０４」は、正確な時刻情報を頻繁に取得しているのに対し、体組成計１０の「体組成計側計時装置１７」は、かかる構成となっていない。
このため、本実施の形態では、データカード１００から「時刻情報」を取得し、修正することで、「体組成計側計時装置１７」の時刻情報の精度を向上させる構成となっている。
したがって、被検者等は、計測した体組成値等の時刻情報を正確に把握することができる。
【００５７】
図９及び図１０は、図６で示したＳＴ１５の「登録個人／ゲストモード」の主な工程を示す概略フローチャートである。
「登録個人／ゲストモード」では、体組成計１０が主に被検者の自宅等、すなわち不特定多数の者が体組成計１０を使用しない状況での使用態様となる。
先ず、図９のＳＴ５１では、番号入力画面が「体組成計側ディスプレイ１３」に表示される。
すなわち、図５のＳＴ３で「番号情報」と共に、図４の「番号関連個人情報記憶部３１」に記憶された性別等の個人情報の選択が求められる。
【００５８】
次いで、ＳＴ５２へ進む。ＳＴ５２では、番号が入力されたか否かが判断され、番号が入力されないときは、ＳＴ５３で所定時間が経過したか否かが判断される。
ＳＴ５３で、所定時間が経過したと判断され、それでもなお、番号入力がないときは、登録された番号の被検者が使用するのではなく、一時的に体組成値を計測する「ゲスト」が使用すると判断し、後述の「ゲストモード」の工程が実行される。
【００５９】
一方、ＳＴ５２で、番号が入力されたときは、ＳＴ５４へ進む。ＳＴ５４では、図３の「体重測定装置１６」が動作し、ＳＴ５５で、体重測定結果が確定したか否かが判断される。
【００６０】
ＳＴ５５で、体重測定結果が確定したと判断されたときは、ＳＴ５６へ進む。ＳＴ５６では、確定した体重測定結果情報を図４の「体重測定結果情報記憶部３４」に記憶させる。
次いで、ＳＴ５７へ進む。ＳＴ５７では、図４の「体組成計算部（プログラム）３５」が動作し、入力された「番号」から図４の「番号関連個人情報記憶部３１」の「番号関連個人情報」を特定する。
そして、「体重測定結果情報記憶部３４」の「体重測定結果情報」を参照して、「体組成値（体脂肪率、基礎代謝率、ＢＭＩ、筋肉量、水分量）」を演算し、「番号」に関連付けて、図４の「番号対応体組成値記憶部３８」に記憶する。
【００６１】
次いで、ＳＴ５８へ進む。ＳＴ５８では、「番号対応体組成値記憶部３８」の体組成値情報を体組成計側ディスプレイ１３に表示する。
したがって、番号情報と共に自己の性別等の個人情報を入力した被検者は、当該番号情報に関連付けられた個人情報を用いた「体組成値」情報を把握することができる。
また、当該番号情報と共に、体組成値情報も記憶されるので、自己の体組成値情報を体組成計１０に記憶させることができる。
すなわち、本モードでは、上述の病院モードと異なり、個人情報等を削除せず、そのまま記憶させるモードとなる。
【００６２】
つまり、「番号関連個人情報記憶部３１」の性別等の個人情報は「保存第２基本情報」の一例となっている。
【００６３】
次いで、ＳＴ５３で、所定時間が経過しても番号が入力されない「ゲストモード」を図１０に沿って説明する。
先ず、ＳＴ７１で、ゲストの個人情報（性別、身長、年齢等）の入力画面が「体組成計側ディスプレイ１３」に表示される。
次いで、ＳＴ７２へ進み、ゲストの個人情報（性別、身長、年齢等）を取得したか否かが判断される。
すなわち、ゲストである被検者は、図１（ｂ）の操作スイッチ１２ａ等を操作して、自己の個人情報を入力する。
このとき、データカード１００等を用いて、自己の個人情報を入力可能な構成としても良い。
【００６４】
次いで、ＳＴ７３へ進む。ＳＴ７３では、入力された個人情報を図４の「ゲスト個人情報記憶部３９」に記憶する。
次いで、ＳＴ７４へ進む。ＳＴ７４では、図３の「体重測定装置１６」が動作し、ＳＴ７５で、体重測定結果が確定したか否かを判断する。
【００６５】
ＳＴ７５で、体重測定結果が確定したときは、ＳＴ７６で、体重測定結果情報を「ゲスト体重測定結果情報記憶部４０」に記憶する。
次いで、図４の「体組成値演算部（プログラム）３５」が動作して、「ゲスト個人情報記憶部３９」の「ゲスト個人情報」と、「ゲスト体重測定結果情報記憶部４０」の「ゲスト体重測定結果情報」から、当該ゲストである被検者の「ゲスト体組成値（体脂肪率、基礎代謝率、ＢＭＩ、筋肉量、水分量）」を演算して求め、「ゲスト体組成値記憶部４１」に記憶する。
【００６６】
次いで、ＳＴ７８へ進む。ＳＴ７８では、「ゲスト体組成値記憶部４１」のゲスト体組成値情報を体組成計側ディスプレイ１３に表示する。
したがって、一時使用者であるゲスト被検者の体組成値情報を生成し、表示することができる。
【００６７】
次いで、ＳＴ７９へ進む。ＳＴ７９では、図４の「ゲスト体組成値情報削除部（プログラム）４２」が動作し、「ゲスト体組成値記憶部４１」のゲスト体組成値情報、及び「ゲスト個人情報記憶部３９」のゲスト個人情報を削除する。
これにより、一時使用のゲストの個人情報等を残さないことで、保護することができる。
【００６８】
ところで、本発明は、上述の実施の形態に限定されない。本実施の形態では、データカード１００に限られるものではなく、電話、ｅ−メールの他にＰＤＡ機能が付いた多機能携帯電話（いわゆるスマートフォン）、ＰＤＡ（Ｐｅｒｓｏｎａｌ  Ｄｉｇｉｔａｌ  Ａｓｓｉｓｔａｎｔ）、携帯型ＰＣ（パーソナルコンピュータ）等であっても適用可能である。
【符号の説明】
【００６９】
１・・・体組成計システム、１０・・・体組成計、１１ａ、１１ｂ、１１ｃ、１１ｄ・・・電極部、１２ａ、１２ｂ、１２ｃ・・・操作スイッチ、１３・・・体組成計側ディスプレイ、１４・・・体組成計側リードライト装置、１５・・・体組成計制御部、１６・・・体重測定装置、１７・・・体組成計側計時装置、３０・・・体組成計側各種情報記憶部、３１・・・番号関連個人情報記憶部、３２・・・体重測定結果情報記憶部、３３・・・モード切替部（プログラム）、３４・・・体重測定結果記憶部、３５・・・体組成計算部（プログラム）、３６・・・体組成値記憶部、３７・・・体組成値情報削除部（プログラム）、３８・・・番号対応体組成値記憶部、３９・・・ゲスト個人情報記憶部、４０・・・ゲスト体重測定結果情報記憶部、４１・・・ゲスト体組成値記憶部、４２・・・ゲスト体組成値情報削除部（プログラム）、１００・・・データカード、１０１・・・データカード側リードライト装置、１０２・・・データカード側ディスプレイ、１０３・・・データカード制御部、１０４・・・データカード側計時装置、１０５・・・データカード側個人情報記憶部、１０６・・・データカード側体組成値記憶部
【図１】
2014196039.tif 000003
【図２】
2014196039.tif 000004
【図３】
2014196039.tif 000005
【図４】
2014196039.tif 000006
【図５】
2014196039.tif 000007
【図６】
2014196039.tif 000008
【図７】
2014196039.tif 000009
【図８】
2014196039.tif 000010
【図９】
2014196039.tif 000011
【図１０】
2014196039.tif 000012
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
被検者の体重情報を計測する計測部と、前記被検者の電気的データを得るための電極部と、
前記被検者の個人情報を取得する生体基本情報入力部を有し、
前記体重情報、前記電気的データと前記個人情報に基づいて、体組成値情報を生成する構成であって、
少なくとも前記個人情報を保存しないことが可能な構成となっていることを特徴とする体組成計．
【請求項２】
前記体組成値情報は、その生成後、保存されないことが可能な構成となっていることを特徴とする請求項１に記載の体組成計。
【請求項３】
前記計測部が、前記体重情報を計測したのち、所定時間以内に前記個人情報が前記生体基本情報入力部から入力されないときは、前記体組成値情報を生成せず、前記体重情報のみを出力する構成となっていることを特徴とする請求項１又は請求項２に記載の体組成計。
【請求項４】
不特定多数の被検者が利用する病院モードを有し、前記病院モードでは、必ず、前記個人情報を削除する構成となっていることを特徴とする請求項１乃至請求項３のいずれか１項に記載の体組成計。
【請求項５】
前記被検者の前記個人情報を記憶する携帯媒体と、前記体組成計を有する体組成計システムであって、
前記体組成計は、前記個人情報を前記携帯媒体から取得すると共に、前記体組成値情報を前記携帯媒体に送信する構成となっていることを特徴とする請求項１乃至請求項４のいずれか１項に記載の体組成計を有する体組成計システム。
【請求項６】
前記体組成計は、前記携帯媒体から前記個人情報を取得したときは、前記体組成値情報を前記携帯端末に送信した後、前記個人情報を削除する構成となっていることを特徴とする請求項５に記載の体組成計システム。
【請求項７】
前記体組成計の前記生体基本情報入力部は、前記携帯媒体と近距離無線通信で通信可能な通信部となっており、この通信部は、前記体組成計のうち、被検者が測定時に、その足を前記体組成計に配置したときの足先近傍に配置されていることを特徴とする請求項５又は請求項６に記載の体組成計システム。
【請求項８】
被検者の体重情報を計測する計測部と、前記被検者の電気的データを得るための電極部と、前記被検者の個人情報を取得する生体基本情報入力部を有する体組成計の制御方法であって、
前記体重情報、前記電気的データと前記個人情報に基づいて、体組成値情報を生成し、
少なくとも前記個人情報を保存しないことが可能な構成となっていることを特徴とする体組成計の制御方法。
【手続補正３】
【補正対象書類名】明細書
【補正対象項目名】０００１
【補正方法】変更
【補正の内容】
【０００１】
本発明は、例えば、被検者の体脂肪率等の生体情報を生成する体組成計、体組成計システム及び体組成計の制御方法に関するものである。
【手続補正４】
【補正対象書類名】明細書
【補正対象項目名】０００５
【補正方法】変更
【補正の内容】
【０００５】
そこで、本発明は、不特定多数の者が利用する施設等でも個人情報を保護しつつ、生体情報を計測することができる体組成計、体組成計システム及び体組成計の制御方法を提供することを目的とする。
【手続補正５】
【補正対象書類名】明細書
【補正対象項目名】０００６
【補正方法】変更
【補正の内容】
【０００６】
上記目的は、本発明にあっては、被検者の体重情報を計測する計測部と、前記被検者の電気的データを得るための電極部と、前記被検者の個人情報を取得する生体基本情報入力部を有し、前記体重情報、前記電気的データと前記個人情報に基づいて、体組成値情報を生成する構成であって、少なくとも前記個人情報を保存しないことが可能な構成となっていることを特徴とする体組成計により達成される。
【手続補正６】
【補正対象書類名】明細書
【補正対象項目名】０００８
【補正方法】変更
【補正の内容】
【０００８】
好ましくは、前記体組成値情報は、その生成後、保存されないことが可能な構成となっていることを特徴とする。
【手続補正７】
【補正対象書類名】明細書
【補正対象項目名】００１０
【補正方法】変更
【補正の内容】
【００１０】
好ましくは、前記計測部が、前記体重情報を計測したのち、所定時間以内に前記個人情報が前記生体基本情報入力部から入力されないときは、前記体組成値情報を生成せず、前記体重情報のみを出力する構成となっていることを特徴とする。
【手続補正８】
【補正対象書類名】明細書
【補正対象項目名】００１２
【補正方法】変更
【補正の内容】
【００１２】
好ましくは、不特定多数の被検者が利用する病院モードを有し、前記病院モードでは、必ず、前記個人情報を削除する構成となっていることを特徴とする。
【手続補正９】
【補正対象書類名】明細書
【補正対象項目名】００１３
【補正方法】変更
【補正の内容】
【００１３】
前記構成によれば、性別等の個人情報等の第２の生体基本情報が、前記体組成計に保存されないので、病院等の不特定多数の被検者が本発明の体組成計等の生体情報測定装置を利用する施設では、性別等の個人情報等を保護することができる。
【手続補正１０】
【補正対象書類名】明細書
【補正対象項目名】００１４
【補正方法】変更
【補正の内容】
【００１４】
好ましくは、前記被検者の前記個人情報を記憶する携帯媒体と、前記体組成計を有する体組成計システムであって、前記体組成計は、前記個人情報を前記携帯媒体から取得すると共に、前記体組成値情報を前記携帯媒体に送信する構成となっていることを特徴とする。
【手続補正１１】
【補正対象書類名】明細書
【補正対象項目名】００１６
【補正方法】変更
【補正の内容】
【００１６】
好ましくは、前記体組成計は、前記携帯媒体から前記個人情報を取得したときは、前記体組成値情報を前記携帯端末に送信した後、前記個人情報を削除する構成となっていることを特徴とする。
【手続補正１２】
【補正対象書類名】明細書
【補正対象項目名】００１８
【補正方法】変更
【補正の内容】
【００１８】
好ましくは、前記体組成計の前記生体基本情報入力部は、前記携帯媒体と近距離無線通信で通信可能な通信部となっており、この通信部は、前記体組成計のうち、被検者が測定時に、その足を前記体組成計に配置したときの足先近傍に配置されていることを特徴とする。
【手続補正１３】
【補正対象書類名】明細書
【補正対象項目名】００２０
【補正方法】変更
【補正の内容】
【００２０】
上記目的は、本発明にあっては、被検者の体重情報を計測する計測部と、前記被検者の電気的データを得るための電極部と、前記被検者の個人情報を取得する生体基本情報入力部を有する体組成計の制御方法であって、前記体重情報、前記電気的データと前記個人情報に基づいて、体組成値情報を生成し、少なくとも前記個人情報を保存しないことが可能な構成となっていることを特徴とする体組成計の制御方法により達成される。
【国際調査報告】
2014196039.tif 000013
2014196039.tif 000014